(57)【要約】【課題】【解決手段】望ましくない物質が入るのを防止し得るよう閉止カバー３０がジャックモジュール２０内に取り付けられる。閉止カバーは、少なくとも１つの窓部と、少なくとも１つの係止アームとを有している。係止アームはカバーをジャックモジュールに固定する。窓部は、カバーをジャックモジュールから取り外す設計とされた取り外し工具６０を受け入れる。取り外し工具は、本体６２と、カバーと係合し得るよう本体に固定されたレバー７０と、カム面を有する二又部８０とを有している。二又部のカム面は、カバーをジャックモジュールとの係止係合状態から撓ませ、取り外し工具が閉止カバーを取り外すことを許容する。【選択図】図１
2008511106.tif 000002
【特許請求の範囲】
【請求項１】
カバーをジャックモジュールから取り外す工具において、
本体と、
前記カバーを前記ジャックモジュール内に着脱自在に係合させるべく前記本体に固定されたレバーと、
前記本体から延びる少なくとも１つの二又部と
を備え、
前記少なくとも１つの二又部は、前記カバーを前記ジャックモジュールとの係止係合状態から撓ませるための前記二又部に沿ったカム面を有する、工具。
【請求項２】
請求項１に記載の工具において、前記本体は開口部を有し、前記レバーは前記本体の前記開口部内に設けられている、工具。
【請求項３】
請求項１に記載の工具において、前記レバー及び前記少なくとも１つの二又部は、前記本体と一体に形成されている、工具。
【請求項４】
請求項１に記載の工具において、前記少なくとも１つの二又部は、内面と外面とを有し、前記内面に前記カム面が形成される、工具。
【請求項５】
請求項１に記載の工具において、前記二又部の前記カム面は、前記本体の前端縁に向けて前記二又部の一端から延びる傾斜路を有する、工具。
【請求項６】
請求項１に記載の工具において、前記二又部の前記カム面は湾曲している、工具。
【請求項７】
請求項１に記載の工具において、前記レバーは、前記カバーと係合するフック部と、前記レバーを下降させて前記フック部を前記カバーから非係合状態にする解放ボタンとを有する、工具。
【請求項８】
カバーとこのカバーをジャックモジュールから取り外す取り外し工具との組み合わせ体において、
カバーと、取り外し工具とを備え、
前記カバーは、少なくとも１つの窓部と、前記カバーをジャックモジュールに固定し得るように前記カバー内に配設された少なくとも１つのアームとを有し、
前記取り外し工具は、本体と、前記カバーを前記ジャックモジュール内にて着脱自在に係合させるべく前記本体に固定されたレバーと、前記本体から延びる少なくとも１つの二又部とを有し、
前記少なくとも１つの二又部は、前記ジャックモジュールとの係止係合状態からカバーを撓ませるための前記二又部に沿ったカム面を有する、組み合わせ体。
【請求項９】
請求項８に記載の組み合わせ体において、前記本体は開口部を有し、前記レバーは前記本体の前記開口部内に配設される、組み合わせ体。
【請求項１０】
請求項８に記載の組み合わせ体において、前記レバー及び前記少なくとも１つの二又部は、前記本体と一体に形成される、組み合わせ体。
【請求項１１】
請求項８に記載の組み合わせ体において、前記少なくとも１つの二又部は、内面と外面とを有し、前記少なくとも１つの二又部の前記内面に、前記カム面が形成される、組み合わせ体。
【請求項１２】
請求項８に記載の組み合わせ体において、前記二又部の前記カム面は、前記二又部の一端から前記本体の前端縁に向けて延びる傾斜路を有する、組み合わせ体。
【請求項１３】
請求項８に記載の組み合わせ体において、前記二又部の前記カム面は湾曲している、組み合わせ体。
【請求項１４】
請求項８に記載の組み合わせ体において、前記レバーは、前記カバーと係合するフック部と、前記カバーを下降させて前記フック部を前記カバーから非係合状態にする解放ボタンとを有する、組み合わせ体。
【請求項１５】
請求項８に記載の組み合わせ体において、前記カバーの前記窓部は、前記取り外し工具の挿入が所定の向きでなされるように制限する形態となっている、組み合わせ体。
【請求項１６】
請求項８に記載の組み合わせ体において、前記少なくとも１つの係止アームは、前記ジャックモジュールと係合する上方に延びる部材と、下方に延びるモジュールと、前記取り外し工具が係合したときに前記アームを撓ませるフランジとを有する、組み合わせ体。
【請求項１７】
請求項８に記載の組み合わせ体において、前記カバーは、前記ジャックモジュール内に装着される前側と後側と側部とを有する、組み合わせ体。
【発明の詳細な説明】
【技術分野】
【０００１】
［０００１］  本出願は、その内容の全体を参考として引用し本明細書に含めた、２００４年８月１９日付けで出願された米国仮特許出願明細書６０／６０３，１４２号による優先権を主張するものである。
【０００２】
［０００２］  本発明は、ジャックモジュールのカバー、より具体的には、カバーをジャックモジュールから取り外す工具に関する。
【背景技術】
【０００３】
［０００３］  閉止カバーとしても知られた防塵カバーは、モジュールを保護し且つ望ましくない物質の侵入を防止するためジャックモジュール内に挿入されることが多い。
【発明の開示】
【発明が解決しようとする課題】
【０００４】
一部のカバーは、該カバーをモジュールに固定する多数の部品又は特殊な掛止めコネクタを有している。その他のカバーは、最終ユーザがカバーをモジュールから解放しカバーをモジュールから取り外すことを可能にする平坦な工具を受け入れ得る設計とされた相対的に大きい開放面積を有している。しかし、大きい開放面積を有するカバーは、モジュールから偶発的に外れる可能性がある。
【０００５】
［０００４］  モジュール開口部内に挿入し、次に、回転キーによって係止することのできるカバーも存在する。これらのカバーは、キーを挿入し且つ、キーを回してカバーをモジュールから非掛止め状態にし又は解放することによってのみ取り外すことができる。このため、カバーがモジュールから偶発的に外れず、しかも簡単な工具によってモジュールから容易に取り外すことのできる改良されたカバー及び取り外し工具を提供することが望まれる。
【課題を解決するための手段】
【０００６】
［０００５］ 本発明は、ジャックモジュールのカバーと、該カバーをジャックモジュールから取り外す工具とに関する。カバーは、カバーをジャックモジュールに固定し得るようにカバー内に配設された少なくとも１つの係止アームを有している。カバーは、取り外し工具を受け入れる設計とされた少なくとも１つの窓部も有している。工具は、本体と、該本体に固定されたレバー部分と、該本体から延びる二又部とを有している。二又部は、工具がカバーの窓部に挿入されたとき、カバーをジャックモジュールとの係止係合状態から撓ませるカム面を有している。工具がカバー内に挿入されたとき、レバーがカバーと係合し、これにより工具により非係合状態となったカバーをジャックモジュールから取り外すことを可能にする。
【発明を実施するための最良の形態】
【０００７】
［００３８］  図１には、取り外し工具６０と、本発明のジャックモジュール２０内に取り付けた閉止カバー３０とが示されている。以下に説明するように、取り外し工具は、工具がカバーに取り付けられる迄、工具をカバー内に挿入するだけで閉め止めしカバーをジャックモジュールから取り外し得る設計とされている。次に、工具及び取り付けたカバーは、モジュールから簡単に引き出される。
【０００８】
［００３９］  図２ないし図４に示すように、閉止カバー３０は、前側部３２と、後側部３４と、その間に開放した中央部分３８を画成する側部３６とを有している。閉止カバーの前側部３２は、図２に示すように、２つのアクセス窓部４０を有している。アクセス窓部４０は、取り外し工具６０の二又部８０を受け入れる。アクセス窓部４０は矩形の形状を有する。しかし、取り外し工具６０の二又部８０が入り且つその内部に配設することができる限り、アクセス窓部は色々な形状にて形成することができる。
【０００９】
［００４０］  閉止カバー３０の前側部３２は、好ましくは、カバーの中心にてアクセス窓４０の下方に配置された接続部材４２も有している。接続部材４２は、カバーと一体に形成されている。接続部材４２は、図８に示すように、カバーから延びる頂部分４４と、下向きのフック部４６と、側部４８とを有している。フック部４６は、頂部分４４から下方に延びており、また、側部４８はフック部４６を取り囲む。以下に説明するように、フック部４６は、取り外し工具６０の解放レバー７０から延びるフック部７４と係合し、取り外し工具６０を閉止カバー３０に固定する。
【００１０】
［００４１］  図２ないし図４には、閉止カバー３０の開放した中央部分３８内に配設された係止アーム５０を有する閉止カバー３０も示されている。アーム５０は閉止カバー３０と一体に形成されており、このため、アーム５０はカバー３０の後側部３４から開放した中央部分３８内まで延びている。アーム５０は、上方に延びる部材５２と、下方に延びる部材分５４とを有している。下方に延びる部材５４の各々は、カバー３０の側部３６に向けて外方に延びるフランジ５６を有している。上方に延びる部材５２は、図８に示すように、カバー３０をジャックモジュール２０内に固定することを可能にする。以下に説明するように、下方に延びる部材５４のフランジ５６は、撓んで取り外し工具６０がアーム５０の上方に延びる部材５２をジャックモジュール２０から非係合状態にするのを可能にする。
【００１１】
［００４２］  図５及び図６には、本発明の取り外し工具６０が示されている。該取り外し工具６０は、取り扱いが容易である部分楕円形の本体６２を有している。しかし、取り外し工具６０は、所望に応じて多岐に亙る形状にてにて形成することができる。取り外し工具６０の本体６２は、本体の中央における開口部６４と、前端縁６６とを有している。解放レバー７０が取り外し工具６０の中央の開口部６４内に配置されている。解放レバー７０は、取り外し工具と一体に形成されている。解放レバー７０は、該レバーの中央付近に配置された隆起ノブ７２と、レバーの自由端に配置された上向きのフック部７４とを有している。図１５及び図１６に関して説明するように、最終ユーザが隆起ノブ７２を下方に押すと、レバーの自由端のフック部７４もまた下方に動く。
【００１２】
［００４３］  取り外し工具６０は、工具６０の前端縁６６から延びる２つの二又部８０も有している。二又部８０の１つは、解放レバー７０の一側部に配置されることが好ましい。二又部８０の各々は、内側部８２と、外側部８４と、前端８６とを有している。二又部８０は、各二又部８０の内側部８２に配置された傾斜路形状のカム９０を有している。傾斜路形状のカム９０は、各二又部８０の前端８６から工具６０の前端縁６６に向けて下方に延びている。傾斜路形状のカム９０は、工具６０が閉止カバー３０内に挿入されたとき、アーム５０の下方に延びる部材５４のフランジ５６と係合する設計とされている。
【００１３】
［００４４］  図７及び図８に示すように、閉止カバー３０をジャックモジュール２０から取り外すことが望まれるとき、二又部８０が閉止カバー３０の前側にてアクセス窓部４０と整合され、また、取り外し工具６０のレバー７０が閉止カバー３０の前側から延びる接続部材４２と整合されるように、取り外し工具６０を配置する。
【００１４】
［００４５］  図９及び図１０には、閉止カバー３０内に部分的に挿入される取り外し工具６０が示されている。取り外し工具６０の二又部８０が閉止カバー３０のアクセス窓部４０に入ると、傾斜路形状のカム９０はアーム５０の下方に延びる部材５４のフランジ５６と係合する。図１１に示すように、閉止カバー３０のアーム５０の上方に延びる部材５２は、ジャックモジュール２０の上側棚状部２２と係合し閉止カバー３０をジャックモジュール２０内に保つ。しかし、傾斜路形状のカム９０が下方に延びる部材５４のフランジ５６と係合すると、アーム５０の上方に延びる部材５２は、撓んでジャックモジュール２０の上側棚状部２２から離れる。
【００１５】
［００４６］  図１２及び図１３には、閉止カバー３０内に完全に挿入された取り外し工具６０が示されている。図１３に示すように、傾斜路形状のカム９０はアーム５０をカバー３０の後部３４に向けて下方に且つ後方に撓ませている。その結果、アーム５０の上方に延びる部材５２は、最早、ジャックモジュール２０の上側棚状部２２と係合していない。アーム５０はジャックモジュール２０から非係合状態となっているため、閉止カバー３０をジャックモジュール２０から取り外すことができる。
【００１６】
［００４７］  図１２及び図１３には、工具６０がカバー３０内に挿入されたとき、レバー７０の自由端のフック部７４がスナップ嵌めしてカバー３０の接続部材４２から延びるフック部４６と係合する状態も示されている。このため、取り外し工具６０は閉止カバー３０に固定される。図１４に示すように、取り外し工具６０が閉止カバー３０内に挿入され且つ該カバーに固定された後、取り外し工具６０及び接続した閉止カバー３０をジャックモジュール２０から容易に取り外すことができる。
【００１７】
［００４８］  図１５及び図１６には、閉止カバー３０から取り外される取り外し工具６０が示されている。図１５に示すように、レバー７０の解放ノブ７２は押されており、これによりレバー７０の端部のフック部７４を下降させる。その結果、レバー７０の端部のフック部７４は、最早、カバー３０の接続部材４２から延びるフック部４６と係合してない。図１６に示すように、フック部が非係合状態とされたならば、工具６０は閉止カバー３０から引き離すことができる。通路６０が閉止カバー３０から引き離されると、閉止カバー３０のアーム５０は、前方及び上方に動いてそれらの当初の位置に戻る。
【００１８】
［００４９］  図１７ないし図２９には、本発明の閉止カバー及び取り外し工具の１つの代替的な設計が示されている。図１８ないし図２１に示すように、閉止カバー１３０は、前側部１３２と、後側部１３４と、その間に開放部分１３８を画成する側部１３６とを有している。代替的な閉止カバー１３０の前側部１３２は、図１７に示すように、閉止カバーが任意の標準的なＲＪ−４５データジャック内に装着されるような形状とされている。
【００１９】
［００５０］  閉止カバー１３０の前側部１３２は、図１８に示すように２つのアクセス窓部１４０を有している。アクセス窓部１４０は、直線状の頂部分１４１と、湾曲した底部分１４３とを有している。アクセス窓部１４０の形状が取り外し工具１６０の挿入深さを制限し、このため工具１６０は、図１７及び図２５ないし図２９に示すように、１つの特定の向きにのみアクセス窓部１４０内に挿入することができる。
【００２０】
［００５１］  閉止カバー１３０の前側部１３２は、閉止カバー１３０の中央のアクセス開口部１４０の間に配置された接続部材１４２も有している。該接続部材１４２は、閉止カバー１３０と一体に形成されている。接続部材１４２は、図２６に示すように、カバーから下方に延びる頂部分１４４と、下方を向いたフック部１４６と、側部１４８とを有している。フック部１４６は、取り外し工具１６０の解放レバー１７０のフック部１７４と係合して取り外し工具１６０を閉止カバー１３０に固定する。
【００２１】
［００５２］  閉止カバー１３０は、閉止カバー１３０と一体に形成された単一片の係止アーム１５０も有している。該アーム１５０は、カバー１３０の後側部１３４からカバー１３０の開放した中央部分１３８内に延びている。アーム１５０は、上方に延びる部材１５２と、下方に延びる部材１５４とを有している。アーム１５０の上方に延びる部材１５２は、ジャックモジュールの上側棚状部１２２と係合してカバー１３０をジャックモジュール１２０に固定する（図２６及び図２７参照）。下方に延びる部材１５４は、該下方に延びる部材１５４の各側部から外方に延びるフランジ１５６を有している。図２１に示すように、フランジ１５６はカバー１３０の側部１３６に向けて延びている。以下に説明するように、取り外し工具は、下方に延びる部材１５４から延びるフランジ１５６を撓ませて上方に延びる部材１５２がジャックモジュール１２０の上側棚状部１２２から非係合状態となるのを可能にする。
【００２２】
［００５３］  図２２ないし図２４に示すように、取り外し工具１６０は、取り外し工具１６０の中央の開口部１６４と、角度を付けた前端縁１６６とを有する本体１６２を備えている。取り外し工具１６０は、開口部１６４内に配置された解放レバー１７０と、取り外し工具１６０の前端縁１６６から外方に延びる二又部１８０とも有している。解放レバー１７０は、レバー１７０の中央付近に配置された隆起ノブ１７２と、レバー１７０の自由端に配置された上向きのフック部１７４とを有している。二又部１８０は、内側部１８２と、外側部１８４と、前端１８６とを有している。各二又部１８０の内側部１８２は、各二又部１８０の前端１８６から工具１６０の前端縁１６６に向けて下方に延びる湾曲カム１９０を有している。湾曲カム１９０は、取り外し工具１６０が閉止カバー１３０内に挿入されたとき、アーム１５０の垂直方向への撓みを増加させる。
【００２３】
［００５４］  図２５ないし図２９に示すように、取り外し工具１６０の二又部１８０は、閉止カバー１３０の窓部１４０と整合されている。取り外し工具１６０の二又部１８０が閉止カバー１３０の窓部１４０内に挿入されると、二又部１８０の湾曲したカム面１９０は、フランジ１５６と係合してアーム１５０を閉止カバー１３０の後側部１３４に向けて下方に且つ後方に撓ませる。二又部１８０がアーム１５０を撓ませると、アーム１５０の上方に延びる部材１５２は、ジャックモジュール１２０内の上側棚状部１２２から非係合状態とされる。
【００２４】
［００５５］  更に、取り外し工具１６０が閉止カバー１３０内に挿入されると、解放レバー１７０のフック部１７４は、接続部材１４２のフック部１４６と係合して取り外し工具を閉止カバーに対して固定する。アーム１５０が非係合状態とされたならば、取り外し工具及び取り付けた閉止カバー１３０はジャックモジュール１２０から取り外すことができる。工具を閉止カバーから取り外すためには、レバー１７０の解放ノブ１７２を押してレバーの末端のフック部１７４を下降させ、これにより接続部材１４２のフック部１４６を非係合状態にする。フック部が非係合状態とされたならば、取り外し工具１６０を閉止カバー１３０から取り外すことができる。
【００２５】
［００５６］  所望であれば、閉止カバーは、該カバーの各端部１３６に配置されたばねタブ１３７を有することができる（図３０ないし図３２参照）。ばねタブ１３７は、閉止カバー１３０がジャックモジュール１２０内に取り付けられたとき、閉止カバー１３０とジャックモジュール１２０との間の空隙を満たす。このように、ばねタブ１３７は、閉止カバー１３０とジャックモジュール１２０との間により緊密な装着状態を提供する。
【００２６】
［００５７］  本発明の取り外し工具及び閉止カバーは、ジャックモジュールを妨害する安全で且つ確実な装置を提供する。閉止カバーは、該カバーが本発明の２つ二又部付きの取り外し工具によってのみ除去可能であるような設計とされている。その結果、閉め出し工具は、ねじ回し又はその他の平坦な工具によって偶発的に又は望まないときに取り外されることはない。
【００２７】
［００５８］  更に、本発明の特定の好ましい実施の形態を示し且つ説明したが、当該技術分野の当業者には、本発明の教示から逸脱せずに、変更例及び改変例を為すことが可能であることが明らかであろう。上記の説明及び添付図面に掲げた事項は、単に一例として示したものであり、限定的なものではない。本発明の実際の範囲は、先行技術に基づいてそれらを適正な観点から検討したとき、特許請求の範囲にて規定することを意図するものである。
【図面の簡単な説明】
【００２８】
【図１】ジャックモジュール内に取り付けられた閉止カバーと、本発明の閉止取り外し工具とを示す斜視図である。
【図２】図１に示した閉止カバーの前側頂面斜視図である。
【図３】図１に示した閉止カバーの後側頂面斜視図である。
【図４】図１に示した閉止カバーの後側底面斜視図である。
【図５】図１に示した取り外し工具の頂面斜視図である。
【図６】図１に示した取り外し工具の底面斜視図である。
【図７】図１に示したジャックモジュール内に取り付けられた閉止カバーと、閉止取り外し工具とを示す頂面図である。
【図８】図７の線８−８に沿った閉止カバーと、取り外し工具とを示す断面図である。
【図９】図１に示したジャックモジュール内に取り付けられた閉止カバー内に部分的に挿入された取り外し工具の斜視図である。
【図１０】図９の線１０−１０に沿った、ジャックモジュール内に取り付けられた閉止カバー内に部分的に挿入された取り外し工具の断面図である。
【図１１】図１０の線１１−１１に沿った、ジャックモジュール内に取り付けられた閉止カバーの正面側断面図である。
【図１２】図１に示したジャックモジュール内に取り付けられた閉止カバー内に挿入された取り外し工具の斜視図である。
【図１３】図１２の線１３−１３に沿った、ジャックモジュール内に取り付けられた閉止カバー内に挿入された取り外し工具の断面図である。
【図１４】図１に示したジャックモジュールから閉止カバーを取り外す取り外し工具を示す図である。
【図１５】図１に示した閉止カバーから非係合状態とされる取り外し工具の側面図である。
【図１６】図１に示した閉止カバーから非係合状態とされた取り外し工具の側面図である。
【図１７】ジャックモジュール内に取り付けられた閉止カバーの代替的な設計と、本発明の閉止取り外し工具とを示す斜視図である。
【図１８】図１７に示した閉止カバーの前側頂面斜視図である。
【図１９】図１７に示した閉止カバーの後側頂面斜視図である。
【図２０】図１７に示した閉止カバーの後側底面斜視図である。
【図２１】図２０の線２１−２１に沿った、閉止カバーの後側断面図である。
【図２２】図１７に示した取り外し工具の頂面斜視図である。
【図２３】図１７に示した取り外し工具の底面斜視図である。
【図２４】図２２の線２４−２４に沿った、取り外し工具の前側断面図である。
【図２５】図１７に示したジャックモジュール内に挿入された閉止カバー内に部分的に挿入された取り外し工具の頂面図である。
【図２６】図２５の線２６−２６に沿った、ジャックモジュール内に取り付けられた閉止カバー内に部分的に挿入された取り外し工具の断面図である。
【図２７】図２５の線２７−２７に沿った、ジャックモジュール内に取り付けられた閉止カバー内に部分的に挿入された取り外し工具の断面図である。
【図２８】図２６に示したジャックモジュール内に取り付けられた閉止カバー内に完全に挿入された取り外し工具の断面図である。
【図２９】図２７に示したジャックモジュール内に取り付けられた閉止カバー内に完全に挿入された取り外し工具の断面図である。
【図３０】側部ばねタブと共に図１７の閉止カバーを示す前側頂面斜視図である。
【図３１】ジャックモジュール内に取り付けられた図３０の閉止カバーの側面図である。
【図３２】図３１の線３２−３２に沿ったジャックモジュール内に取り付けられた閉止カバーの断面図である。
【図１】
2008511106.tif 000003
【図２】
2008511106.tif 000004
【図３】
2008511106.tif 000005
【図４】
2008511106.tif 000006
【図５】
2008511106.tif 000007
【図６】
2008511106.tif 000008
【図７】
2008511106.tif 000009
【図８】
2008511106.tif 000010
【図９】
2008511106.tif 000011
【図１０】
2008511106.tif 000012
【図１１】
2008511106.tif 000013
【図１２】
2008511106.tif 000014
【図１３】
2008511106.tif 000015
【図１４】
2008511106.tif 000016
【図１５】
2008511106.tif 000017
【図１６】
2008511106.tif 000018
【図１７】
2008511106.tif 000019
【図１８】
2008511106.tif 000020
【図１９】
2008511106.tif 000021
【図２０】
2008511106.tif 000022
【図２１】
2008511106.tif 000023
【図２２】
2008511106.tif 000024
【図２３】
2008511106.tif 000025
【図２４】
2008511106.tif 000026
【図２５】
2008511106.tif 000027
【図２６】
2008511106.tif 000028
【図２７】
2008511106.tif 000029
【図２８】
2008511106.tif 000030
【図２９】
2008511106.tif 000031
【図３０】
2008511106.tif 000032
【図３１】
2008511106.tif 000033
【図３２】
2008511106.tif 000034
【国際調査報告】
2008511106.tif 000035
2008511106.tif 000036